(57)【要約】【課題】遊技機において、少ない数の光源によって多数の光輝部を光り輝かせて電飾効果を高める。【解決手段】透明遊技盤４と、透明遊技盤４の裏面に重ね合わされて配置される透明板１０１と、透明板１０１の裏面に重ね合わせて配置され、透明遊技盤４の表面側から透視可能な所定の意匠が描画された意匠シート１０２と、意匠シート１０２に描画された意匠を照明するための光源１０６とを備える。光源１０６は、透明板１０１の端面に対向して配置される。透明板１０１は、意匠の一部である光り輝かせたい複数の光輝部１０９にそれぞれ対向する複数の凹部１０１ａを裏面に有する。複数の凹部１０１ａは、透明板１０１の端面１０１ｂから導入した光源１０６の光を乱反射させることによって、複数の光輝部１０９の前面を光り輝かせる。【選択図】図３
2014223219.tif 000002
【特許請求の範囲】
【請求項１】
表面に遊技球が流下可能な遊技領域を有する透明遊技盤と、前記透明遊技盤の裏面に重ね合わされて配置される透明板と、前記透明板の裏面に重ね合わせて配置され、前記透明遊技盤の表面側から透視可能な所定の意匠が描画された意匠シートと、前記意匠を照明するための光源と、を備えた遊技機において、
前記光源は、前記透明板の端面に対向して配置され、
前記透明板は、前記意匠の一部である光り輝かせたい複数の光輝部にそれぞれ対向する複数の凹部を裏面に有し、
前記複数の凹部は、前記透明板の端面から導入した前記光源の光を乱反射させることによって、前記複数の光輝部の前面を光り輝かせることを特徴とする遊技機。
【請求項２】
前記凹部を円錐形状としたことを特徴とする請求項１記載の遊技機。
【発明の詳細な説明】
【技術分野】
【０００１】
本発明は、少ない光源により電飾効果を高めた遊技機に関する。
【背景技術】
【０００２】
パチンコ機等の遊技機においては、遊技進行上での演出効果を図る等の目的で、遊技盤に人物、動物、アニメのキャラクタ等を象った演出体を設けると共に、当該演出体にＬＥＤ等の光源を搭載し、遊技の進行に応じて光源を発光させることによって遊技進行上の電飾効果を発揮させるようにした電飾装置が知られている。
【０００３】
例えば特許文献１（特開２０１２−２８５７号公報）には、遊技盤に設けた電飾装置（イルミネーションユニット）は、キャラクタの形状を象ったアウターレンズの後側にインナーレンズを配置し、さらにインナーレンズの後側にＬＥＤ（光源）を配置して、ＬＥＤからの出射光を反射面で外側に反射させることによって、点光するＬＥＤの正面への出射光範囲を広く拡散して電飾効果を高めるようにした遊技機が記載されている。
【先行技術文献】
【特許文献】
【０００４】
【特許文献１】特開２０１２−２８５７号公報
【発明の概要】
【発明が解決しようとする課題】
【０００５】
しかし、特許文献１に記載されているような遊技機においては、例えば、キャラクタの光輝部（例えば、宝石、剣、星等のように光り輝いているように見せたい部分）のみを部分的に光り輝かせたい場合には光輝部の数に相当する数だけのＬＥＤが必要になる。したがって、光輝部が多数散在するような場合には、多数のＬＥＤを必要としてコストの上昇を招く問題を有する。
【０００６】
本発明は、かかる課題に鑑みなされたものであり、少ない数の光源によって多数の光輝部を光り輝かせて電飾効果を高めた遊技機を提供することを目的とする。
【課題を解決するための手段】
【０００７】
上記課題を解決するため、第１の発明は、表面に遊技球が流下可能な遊技領域を有する透明遊技盤と、前記透明遊技盤の裏面に重ね合わされて配置される透明板と、前記透明板の裏面に重ね合わせて配置され、前記透明遊技盤の表面側から透視可能な所定の意匠が描画された意匠シートと、前記意匠を照明するための光源と、を備えた遊技機において、前記光源は、前記透明板の端面に対向して配置され、前記透明板は、前記意匠の一部である光り輝かせたい複数の光輝部にそれぞれ対向する複数の凹部を裏面に有し、前記複数の凹部は、前記透明板の端面から導入した前記光源の光を乱反射させることによって、前記複数の光輝部の前面を光り輝かせる。
【０００８】
第２の発明は、第１の発明において、前記凹部を円錐形状とする。
【発明の効果】
【０００９】
本発明によれば、光源を透明板の端面に対向させて配置すると共に、透明板の裏面に意匠シートに描画された意匠の光輝部に対向し、かつ光源の光りを乱反射させる凹部を設けたことによって、少ない数の光源で多数の光輝部を光り輝かせて電飾効果を高めることができる。
【図面の簡単な説明】
【００１０】
【図１】本発明に係る遊技機の正面図である。
【図２】同じく遊技盤の正面図である。
【図３】同じく遊技盤及び電飾装置の分解斜視図である。
【図４】電飾装置の正面図である。
【図５】電飾装置における要部の拡大正面図である。
【図６】図５におけるＶＩ−ＶＩ線に相当する横断面図である。
【発明を実施するための形態】
【００１１】
以下、本発明を実施するための一実施形態を添付図面を参照しながら詳述する。なお、以下の実施形態は本出願の特許請求の範囲に係る発明を限定するものではなく、実施形態の中で説明される特徴の組み合わせの全てが発明の解決手段に必須であるとは限らない。
【００１２】
なお、以下の説明において遊技機の各部の左右方向は、その遊技機の正面に対面する者にとっての左右方向に合わせて説明する。
【００１３】
図１に示すように、本実施形態の遊技機１は、遊技場の島設備に設置される矩形枠状の機枠２と、当該機枠２の左枠部に図示略の蝶番により鉛直軸回りに開閉自在に取り付けられる本体枠３と、当該本体枠３の内側に装着される透明遊技盤４と、透明遊技盤４の裏側に配置され遊技に係る演出図柄を表示可能な表示画面５と、透明遊技盤４の前側にあって、機枠２の左枠部に鉛直軸回りに開閉自在に取り付けられ、透明遊技盤４の前面に設けられる後述の遊技領域４１を目視可能に遮蔽するガラス板６１を嵌め込んだガラス扉６と、透明遊技盤４の真下に設けられ、遊技球を貯留するための受皿７と、遊技機１の内部に設けられ受皿７に貯留されている遊技球を導入して遊技領域４１へ向けて発射するための図示略の発射装置と、受皿７の右斜め下方に設けられ、遊技球を発射装置から遊技領域４１へ打ち出す際に操作される発射ハンドル８と、遊技状況に応じた効果音を出力するスピーカ９と、ガラス扉６の前面に設けられ遊技の状況に応じて点灯、消灯及び点滅する照明演出を行う図示略の複数のランプとを備える。
【００１４】
表示画面５は、例えば液晶ディスプレイから構成され、遊技に係る情報である各種キャラクタや数字等で構成される演出図柄を変動、停止表示すると共に、そのときの遊技状態に応じた動画を表示することによって遊技の盛り上げ演出を行う。
【００１５】
図２に示すように、透明遊技盤４は、アクリル樹脂板等で正面視ほぼ方形に形成されると共に、前面には、内側ガイドレール４２及び外側ガイドレール４３によって包囲されるほぼ円形の遊技領域４１が形成される。遊技領域４１の左部における内側ガイドレール４２と外側ガイドレール４３との間には、発射装置から発射された遊技球を導入して遊技領域４１に導出させるための発射通路４５が形成される。
【００１６】
遊技領域４１の上部及び右部には、発射通路４５から導出された右打ち遊技球を導入し遊技領域４１の右下領域に導くための湾曲した右打ち経路４６が形成される。
【００１７】
遊技領域４１には、そのほぼ中央部にあって、表示画面５の周辺を装飾するように遊技領域４１に固定される正面視で枠状の合成樹脂製の装飾部材１１が固定される。装飾部材１１の中央部には、表示画面５に表示される演出図柄を遊技者が遊技機１の前方から目視可能とするための表示窓４４が形成される。透明遊技盤４の遊技領域４１における左領域の裏面側には、遊技の進行に応じて点灯または点滅する電飾効果により遊技演出を高めるための電飾装置１０（図３参照）が設けられる。
【００１８】
さらに、遊技領域４１には、発射通路４５から遊技領域４１に打ち込まれた遊技球の流下方向を変化させる図示略の多数の釘及び風車１９と、表示窓４４の下方にあって、遊技領域４１を流下する遊技球のうち装飾部材１１の左側部に設けたワープ孔１１１に進入したワープ球（遊技球）を導入して左右及び前後方向へ転動可能とするステージ１２と、当該ステージ１２の下方にあって、遊技領域４１を流下する遊技球及びステージ１２から落下したワープ球が入賞可能な始動入賞口１３と、遊技者にとって相対的に不利な閉鎖状態（遊技球が入賞不能な状態）と遊技者にとって相対的に有利な開放状態（遊技球が入賞可能な状態）とに変化可能な開閉板を有する大入賞装置１４と、遊技領域４１の右領域にあって、右打ち通路４６を通過した右打ち遊技球が通過可能なスルーチャッカ１５と、遊技領域４１を流下する遊技球が入賞可能な複数の一般入賞口１６と、遊技領域４１の右領域にあって、遊技状態が特定遊技状態に移行した場合に開放し、右打ち経路４６を通過した右打ち遊技球が入賞可能な特定入賞装置１７と、遊技領域４１に打ち込まれた遊技球のうち始動入賞口１３、大入賞装置１４、一般入賞口１６及び特定入賞装置１７に入賞しなかったアウト球を遊技盤４の裏面側に排出するアウト口１８等が設けられる。
【００１９】
発射装置により遊技領域４１に導出された遊技球が始動入賞口１３に入賞すると、これを契機に、遊技盤４の裏側に配置される図示略の制御装置により実行される抽選の結果、所定の変動パターンに基づいて、表示画面５に表示される演出図柄が所定時間演出態様で表示演出を行った後、演出図柄が予め定めた特別の表示態様または特定の表示態様で確定停止表示した場合には、遊技状態を特別遊技状態または特定遊技状態に移行させ、大入賞装置１４または特定入賞装置１７を開放状態に変化させる。
【００２０】
なお、遊技機１の詳細な遊技内容については、本発明には直接関係しないので、説明は省略する。
【００２１】
図３に示すように、電飾装置１０は、ＰＣ（ポリカーボネイト）等で形成され、遊技領域４１の左部の裏面に重ね合わせて配置される所定の板厚を有する透明板１０１と、透明板１０１の裏面に重ね合わされて配置される意匠シート１０２と、意匠シート１０２の裏面に対向するように配置され、前面に複数のＬＥＤ（光源）１０４を実装した光源基板１０３と、透明板１０１の外側を向く端面１０１ｂに対向するように配置される複数のＬＥＤ（光源）１０６を実装した上下の光源基板１０５と、透明板１０１、意匠シート１０２及び光源基板１０３、１０５を支持するための上下のケース１０７、１０８とを含んで構成される。
【００２２】
意匠シート１０２の表面または裏面には、図示略のキャラクタ、模様、景色等の意匠、及び当該意匠の一部であって、例えば星、宝石、剣等のように光り輝いているように見せたい複数の光輝部１０９が描画され、光輝部１０９を含む意匠は、透明遊技盤４及び透明板１０１を透して遊技機１の前側から目視可能として遊技領域４１を装飾する。
【００２３】
透明板１０１は、透明遊技盤４の裏面と意匠シート１０２の表面との間に挟み込まれ、意匠シート１０２に描画された意匠の各光輝部１０９にそれぞれ対向する箇所の裏面には円錐形状の単一または複数の凹部１０１ａが設けられる。
【００２４】
ＬＥＤ１０４は、上側のケース１０７の表面に平行に固定される光源基板１０３に実装され、遊技の進行に応じて点灯または点滅することによって、透明板１０１及び意匠シート１０３から外れた位置から装飾部材１１の一部（透光部）を裏側から照明して電飾効果を図る。
【００２５】
ＬＥＤ１０６は、上下のケース１０７、１０８の表面に直角に固定される光源基板１０５に実装されると共に、透明板１０１の端面１０１ｂに対向するように配置され、遊技の進行に応じて点灯または点滅する。
【００２６】
図６に示すように、ＬＥＤ１０６が遊技の進行に応じて点灯または点滅すると、矢印で示すＬＥＤ１０６の光は、透明板１０１の端面１０１ｂから透明板１０１内に導入されて透明板１０１の面に沿って進んで凹部１０１ａで乱反射する。これにより、乱反射した光をもって、円錐形状の複数の凹部１０１ａが点状に光り、光輝部１０９の前面を明るく光らせる。これにより、遊技の進行に応じてＬＥＤ１０６が点灯または点滅することにより、図２に示すように、遊技盤４の前側から見ると、複数の凹部１０１ａの後側に位置する複数の光輝部１０９が恰も点状に光り輝いているように見える。
【００２７】
以上により、本実施形態においては、ＬＥＤ１０６を透明板１０１の端面１０１ｂに対向させて配置すると共に、透明板１０１の裏面に意匠シート１０２に描画された意匠の光輝部１０９に対向する円錐形状の凹部１０１ａを設けたことによって、ＬＥＤ１０６の光を透明板１０１の端面１０１ｂから透明板１０１に導入して複数の凹部１０１ａを同時に発光させることができる。これにより、単一のＬＥＤ１０６により複数の凹部１０１ａ、すなわち複数の光輝部１０９を光り輝かすことができるから、光輝部１０９の数よりも少ない数のＬＥＤ１０６をもって、多数の光輝部１０９を光り輝かせて、電飾効果を高めることができる。したがって、意匠に光輝部１０９が散在しても、ＬＥＤ１０６は、光輝部１０９に相当する数を必要としないため、ＬＥＤ１０６の数の増加を抑制して、コストの低減を可能とする。
【００２８】
また、ＬＥＤ１０６が透明板１０１及び意匠シート１０２の端面に対向する位置にあって、透明板１０１及び意匠シート１０２に対して前後方向に重なり合わないため、電飾装置１０の前後方向の寸法を小とすることができ、電飾装置１０を透明遊技盤４における奥行の狭い裏側に配置することが可能となる。
【符号の説明】
【００２９】
１  遊技機                          ２  機枠
３  本体枠                          ４  透明遊技盤
５  表示画面                        ６  ガラス扉
７  受皿                            ８  発射ハンドル
９  スピーカ                        １０  電飾装置
１１  装飾部材                      １２  ステージ
１３  始動入賞口                    １４  大入賞装置
１５  スルーチャッカ                １６  一般入賞口
１７  特定入賞装置                  １８  アウト口
１９  風車                          ４１  遊技領域
４２  内側ガイドレール              ４３  外側ガイドレール
４４  表示窓                        ４５  発射通路
４６  右打ち経路                    ６１  ガラス板
１０１  透明板                      １０１ａ  凹部
１０１ｂ  端面                      １０２  意匠シート
１０３  光源基板                    １０４  ＬＥＤ（光源）
１０５  光源基板                    １０６  ＬＥＤ（光源）
１０７、１０８  ケース              １０９  光輝部
１１１  ワープ孔
【図１】
2014223219.tif 000003
【図２】
2014223219.tif 000004
【図３】
2014223219.tif 000005
【図４】
2014223219.tif 000006
【図５】
2014223219.tif 000007
【図６】
2014223219.tif 000008